【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
それぞれが異なる帰還方式である第１〜第ｎの帰還方式に対応してスピーカの振動板の動きを検出するようにして設けられる１以上の検出手段と、
上記検出手段により検出して得られた１以上のアナログ形式の検出信号を、それぞれデジタル形式に変換するアナログ-デジタル変換手段と、
上記アナログ-デジタル変換手段により得られるデジタル形式の検出信号を利用して、上記第１〜第ｎの帰還方式ごとに応じた帰還信号を生成する帰還信号生成手段と、
上記スピーカの駆動信号として出力されるべきデジタル形式のオーディオ信号に対して、上記帰還信号を合成する合成手段と、
上記デジタル形式のオーディオ信号の周波数特性を可変するもので、上記スピーカにより再生される音を目標周波数特性とするためのイコライジング特性が設定される、補正イコライザ手段と、
上記第１〜第ｎの帰還方式のうちから、上記合成手段によるオーディオ信号への帰還信号の合成までの帰還動作を実行させる帰還方式と、これを実行させない帰還方式とを設定する帰還動作設定手段と、
上記帰還動作設定手段により設定される帰還動作を実行する帰還方式と、実行しない帰還方式との組み合わせに応じて、上記補正イコライザ手段に設定すべきイコライジング特性を変更するイコライジング特性変更設定手段と、
を備える信号処理装置。
【請求項２】
上記帰還信号生成手段においては上記第１〜第ｎの帰還方式に応じた帰還信号ごとに、対応する帰還信号にゲインを与えるゲインコントロール手段が備えられるとともに、
上記スピーカの駆動信号として出力されるべきデジタル形式の測定信号を生成する測定信号生成手段と、
上記測定信号が上記駆動信号として上記スピーカに供給されているときに上記検出手段により検出して得られ、上記アナログ-デジタル変換手段によりデジタル形式に変換された帰還方式ごとの検出信号を入力して、その周波数特性を取得する、周波数特性取得手段と、
上記周波数特性取得手段により取得される帰還方式ごとの検出信号の周波数特性に基づいて、上記ゲインコントロール手段に設定すべき帰還方式ごとのゲインを求めるゲイン調整手段とをさらに備える、
請求項１に記載の信号処理装置。
【請求項３】
上記ゲイン調整手段により求められた新たな帰還方式ごとのゲインと、この新たな帰還方式ごとのゲインが求められるまでにおいて設定されていた帰還方式ごとのゲインとに少なくとも基づいて、上記新たなゲインが上記ゲインコントロール手段に設定されるときに応じた、新たな帰還方式ごとの上記イコライジング特性を求める、イコライジング特性調整手段をさらに備える、
請求項２に記載の信号処理装置。
【請求項４】
上記ゲイン調整手段は、上記周波数特性取得手段により取得される検出信号の周波数特性から、先ず、帰還信号が上記合成手段にて合成されないオープンループのときのゲインを求め、このオープンループのときのゲインを利用した演算により、上記ゲインコントロール手段に設定すべき帰還方式ごとのゲインとして、帰還信号が上記合成手段にて合成されるクローズドループのときのゲインを求める、
請求項２又は請求項３に記載の信号処理装置。
【請求項５】
上記ゲインコントロール手段により帰還信号ごとに与えるゲインを変更設定するゲイン変更設定手段が備えられるとともに、
上記イコライジング特性変更設定手段は、上記帰還動作を実行する帰還方式に対応する帰還信号に与えるゲインが変更設定されるのに応じて、上記補正イコライザ手段に設定すべきイコライジング特性を変更する、
請求項２乃至請求項４の何れかに記載の信号処理装置。
【請求項６】
それぞれが異なる帰還方式である第１〜第ｎの帰還方式に対応してスピーカの振動板の動きを検出するようにして設けられる１以上の検出手段により検出して得られた１以上のアナログ形式の検出信号を、それぞれデジタル形式に変換するアナログ-デジタル変換手順と、
上記アナログ-デジタル変換手順により得られるデジタル形式の検出信号を利用して、上記第１〜第ｎの帰還方式ごとに応じた帰還信号を生成する帰還信号生成手順と、
上記スピーカの駆動信号として出力されるべきデジタル形式のオーディオ信号に対して、上記帰還信号を合成する合成手順と、
上記デジタル形式のオーディオ信号の周波数特性を可変するもので、上記スピーカにより再生される音を目標周波数特性とするためのイコライジング特性が設定される、補正イコライザ手順と、
上記第１〜第ｎの帰還方式のうちから、上記合成手順によるオーディオ信号への帰還信号の合成までの帰還動作を実行させる帰還方式と、これを実行させない帰還方式とを設定する帰還動作設定手順と、
上記帰還動作設定手順により設定される帰還動作を実行する帰還方式と、実行しない帰還方式との組み合わせに応じて、上記補正イコライザ手順に設定すべきイコライジング特性を変更するイコライジング特性変更設定手順と、
を実行する信号処理方法。
【手続補正２】
【補正対象書類名】明細書
【補正対象項目名】０００４
【補正方法】変更
【補正の内容】
【０００４】
これまでのＭＦＢの技術は、単に、スピーカユニットから再生される音質の改善にとどまっている。本願発明としては、ＭＦＢの技術を利用してこれまでにない付加価値的な機能を与えることにより、例えば聴取者であるユーザにとって、より有用なオーディオリスニング環境を提供しようとするものである。
【手続補正３】
【補正対象書類名】明細書
【補正対象項目名】００２０
【補正方法】変更
【補正の内容】
【００２０】
例えば、図１５における低域補正イコライザ１０１のイコライジング特性(補正特性)は次のようにして設定する。
先ず、低域補正イコライザ１０１をパスさせたうえでＭＦＢをオンとした状態で、スピーカユニット１０７の周波数特性を測定する。次に、この測定した周波数特性を、例えばフラットなどの目標周波数特性とするための補正量を算出する。つまり、可変対象とする周波数帯域と、その周波数帯域に必要なゲインを求める。そして、この補正量が得られるようにして、低域補正イコライザ１０１に対して、例えば手動でイコライジング特性を設定するものである。
なお、アナログ構成の場合には、ゲイン調整ボリューム１０８についてゲイン値を設定する際にも、例えば手動で行うことになる。
【手続補正４】
【補正対象書類名】明細書
【補正対象項目名】００５５
【補正方法】変更
【補正の内容】
【００５５】
ここで、ユーザ操作により、ＭＦＢオフモードが選択されたとする。これに応じて、例えばＤＳＰとしてのデジタル信号処理部１０は、図８のモード設定テーブルを参照して、ＭＦＢオフモードに対応付けられている速度帰還型ＭＦＢのオン／オフ設定内容、加速度帰還型ＭＦＢのオン／オフ設定内容、及びイコライザ補正特性を認識する。そして、速度帰還型ＭＦＢはオフ、加速度帰還型ＭＦＢはオフ、低域補正イコライザ１２はパスさせるように信号処理系を設定する。これにより、ＭＦＢオフのデジタル信号処理系が形成される。
また、第１ＭＦＢオンモードが選択されたことに応じては、デジタル信号処理部１０は、モード設定テーブルにおいてＭＦＢオンモードに対応付けられている速度帰還型ＭＦＢのオン／オフ設定内容、加速度帰還型ＭＦＢのオン／オフ設定内容、及びイコライザ補正特性に従って信号処理系を形成する。つまり、デジタル信号処理部１０において、速度帰還型ＭＦＢはオン、加速度帰還型ＭＦＢはオフとなるようにしてクローズドループを形成し、さらに、低域補正イコライザ１２に対しては、特性１として示されるパラメータを設定する。
また、第２ＭＦＢオンモードが選択されたことに応じては、デジタル信号処理部１０は、モード設定テーブルにおいてＭＦＢオンモードに対応付けられている速度帰還型ＭＦＢのオン／オフ設定内容、加速度帰還型ＭＦＢのオン／オフ設定内容、及びイコライザ補正特性に従って信号処理系を形成する。つまり、デジタル信号処理部１０において、速度帰還型ＭＦＢと加速度帰還型ＭＦＢとが何れもオンとなるようにしてクローズドループを形成し、さらに、低域補正イコライザ１２に対しては、特性２として示されるパラメータを設定する。
【手続補正５】
【補正対象書類名】明細書
【補正対象項目名】００８５
【補正方法】変更
【補正の内容】
【００８５】
［６−２．デジタル回路での調整］
本実施形態に対応するイコライジング特性(イコライザ補正特性)の調整のための構成例を、図１２に示す。なお、この場合にも、説明の便宜上、速度帰還型の１系統のみによるＭＦＢ信号処理系を前提とした構成が示されている。なお、図１２において、図１１と同一部分には同一符号を付して説明を省略する。
図１２に示す構成は、図１１に示した構成に対して、イコライザ補正特性設定部３７及びパラメータ保持部３８を追加したものとなる。この場合のパラメータ保持部３８は、パラメータとして、ゲインコントロール部２１に設定すべきクローズドループ時のフィードバックゲイン値βと、低域補正イコライザ１２に設定すべきイコライザ補正特性γを保持する。
イコライザ補正特性設定部３７は、ゲイン設定部３６により新たに求められたフィードバックゲイン値βnewと、パラメータ保持部３８に保持されるフィードバックゲイン値β、イコライザ補正特性γとにより、新たに求められたフィードバックゲイン値βnewに対応する新たなイコライザ補正特性γnewを求める。